(57)【要約】【課題】施工性、生産性に優れたユニットケーブル、及びユニットケーブルの製造方法を提供する。【解決手段】結線部１１は、所定の導体９同士が電気的に接続されて形成される。結線部１１は、溶接により形成される。結線部１１が形成されることにより、所定の電気回路が構成される。結線部１１の形成は、シース８及び絶縁体１０の中間の皮むきと、導体９同士の溶接とを順に経ることにより完了する。溶接は、皮むきの範囲が狭くても可能な接続の方法であり、そのため結線部１１及び周辺部分は小さく形成される。結線部１１は樹脂モールド部にて覆われて保護される。樹脂モールド部は、絶縁性を有する樹脂材料を用いての射出成形により形成される。【選択図】図１
2015056327.tif 000002
【特許請求の範囲】
【請求項１】
複数本のＶＶＦケーブルにおける所定の導体同士を電気的に接続し、該接続の部分を結線部とするユニットケーブルにおいて、
隣り合う前記結線部同士の間には空間距離を持たせるための空間距離部が形成され、前記結線部自体は前記導体同士を溶接することにより形成される
ことを特徴とするユニットケーブル。
【請求項２】
請求項１に記載のユニットケーブルにおいて、
前記結線部は絶縁性を有する樹脂の成形からなる樹脂モールド部にて覆われる
ことを特徴とするユニットケーブル。
【請求項３】
請求項１又は２に記載のユニットケーブルにおいて、
隣り合う結線部同士は前記空間距離部に配置される絶縁性の隔壁にて仕切られる
ことを特徴とするユニットケーブル。
【請求項４】
複数本のＶＶＦケーブルにおける所定の導体同士を電気的に接続してなる結線部を溶接にて形成する工程と、
絶縁性を有する樹脂の成形にて前記結線部を覆い、該結線部の外側に樹脂モールド部を形成する工程と、
を含む
ことを特徴とするユニットケーブルの製造方法。
【発明の詳細な説明】
【技術分野】
【０００１】
本発明は、屋内配線に用いられるユニットケーブル、及びユニットケーブルの製造方法に関する。
【背景技術】
【０００２】
近年、玄関や居間や寝室などの各部屋別にユニット化してなる部屋ユニットが住宅メーカーの工場で製造される。そして、それら製造された部屋ユニットは、施工現場で施主の希望や敷地形状に応じて組み付けられ、この組み付けにより一つの家屋が出来上がる。このような工法は、プレハブ住宅工法と呼ばれ、一般的に広く知られる。プレハブ住宅工法においては、各部屋ユニット別の屋内配線作業を簡素化するために、ユニットケーブルが用いられる。ユニットケーブルの結線部には、ジョイントボックス等が設けられる。
【０００３】
上記ジョイントボックスが設けられる部分に関し、下記特許文献１では、ジョイントボックスの内部に絶縁性の熱硬化性樹脂（エポキシ樹脂等）が充填・モールドされる。熱硬化性樹脂の充填・モールドにより、分岐接続されたユニットケーブルの結線部が固定及び保護される。
【０００４】
また、下記特許文献２でも同様に、ユニットケーブルの結線部が固定及び保護される。具体的には、設計長に切断されたＶＶＦケーブルの導体が圧着端子により接続されて目的の電気回路が構成される。この後に、圧着端子に絶縁チューブが被せられて絶縁され、接続部分である結線部がジョイントボックスに収納される。そして、熱硬化性樹脂の充填・モールドにより結線部が固定及び保護される。
【０００５】
ユニットケーブルは、施工現場での分岐処理加工が予め工場で行われるため、（１）施工の省力化、（２）工期の短縮化が可能、（３）安定した高品質が得られる等の利点を有する。
【先行技術文献】
【特許文献】
【０００６】
【特許文献１】登録実用新案第３００５９１２号公報
【特許文献２】特開２００５−３２２４４３号公報
【発明の概要】
【発明が解決しようとする課題】
【０００７】
上記従来のユニットケーブルにあっては、工場加工製品であることから、施工現場まで輸送する必要がある。そのため、輸送時に結線部に引っ張り荷重等の外力が加わっても保護することができるように、また、施工時等においても外力が加わることが懸念されることから、結線部を保護することができるように、大きなジョイントボックスと、熱硬化性樹脂の充填・モールドとを設ける構成が採用される。
【０００８】
従って、施工に関し、大きなジョイントボックスを設置するためのスペースが必要になるという問題点や、大きなジョイントボックスであることから、施工時の取り扱い性が悪くなるという問題点を有する。また、樹脂がモールドされた大きなジョイントボックスであることから、重く、上記同様に施工時の取り扱い性が悪くなるという問題点を有する。さらに、使用樹脂量も多くなり、大型の設備が必要になるという問題点や、大型の設備であることから、生産性が低下してしまうという問題点も有する。
【０００９】
本発明は、上記した事情に鑑みてなされたもので、施工性、生産性に優れたユニットケーブル、及びユニットケーブルの製造方法を提供することを課題とする。
【課題を解決するための手段】
【００１０】
上記課題を解決するためになされた請求項１に記載の本発明は、複数本のＶＶＦケーブルにおける所定の導体同士を電気的に接続し、該接続の部分を結線部とするユニットケーブルにおいて、隣り合う前記結線部同士の間には空間距離を持たせるための空間距離部が形成され、前記結線部自体は前記導体同士を溶接することにより形成されることを特徴とする。
【００１１】
このような特徴を有する本発明によれば、結線部は導体同士を溶接してなることから、導体同士の接続の部分を比較的小さく形成することが可能になる。隣り合う結線部同士は、これらの間に空間距離部を有することから、絶縁は確保される。
【００１２】
請求項２に記載の本発明は、請求項１に記載のユニットケーブルにおいて、前記結線部は絶縁性を有する樹脂の成形からなる樹脂モールド部にて覆われることを特徴とする。
【００１３】
このような特徴を有する本発明によれば、結線部は上記の如く比較的小さく形成されることから、結線部を覆う樹脂モールド部も小さく形成することが可能になる。本発明によれば、空間距離部を樹脂で埋めるようにもなることから、確実に絶縁される。
【００１４】
請求項３に記載の本発明は、請求項１又は２に記載のユニットケーブルにおいて、隣り合う結線部同士は前記空間距離部に配置される絶縁性の隔壁にて仕切られることを特徴とする。
【００１５】
このような特徴を有する本発明によれば、結線部同士の間は仕切られる（隔てられる）ことから、確実に絶縁される。
【００１６】
また、上記課題を解決するためになされた請求項４に記載の本発明のユニットケーブルの製造方法は、複数本のＶＶＦケーブルにおける所定の導体同士を電気的に接続してなる結線部を溶接にて形成する工程と、絶縁性を有する樹脂の成形にて前記結線部を覆い、該結線部の外側に樹脂モールド部を形成する工程と、を含むことを特徴とする。
【００１７】
このような特徴を有する本発明によれば、比較的小さな結線部を有するユニットケーブルを製造することが可能になる。
【００１８】
尚、ユニットケーブルの製造方法に関し、次の（１）〜（３）のように特徴付けをしてもよいものとする。すなわち、
【００１９】
（１）複数本のＶＶＦケーブルにおける所定の導体同士を電気的に接続してなる結線部を溶接にて形成する工程を含むことを特徴とする。
【００２０】
（２）上記（１）において、絶縁性を有する樹脂の成形にて前記結線部を覆い、該結線部の外側に樹脂モールド部を形成する工程を更に含むことを特徴とする。
【００２１】
（３）上記（１）又は（２）において、隣り合う結線部同士の間に絶縁性を有する隔壁を挿入する工程を更に含むことを特徴とする。
【発明の効果】
【００２２】
請求項１に記載された本発明によれば、導体同士を溶接して結線部を形成することから、従来よりも結線部を小さく形成することができるという効果を奏する。これにより、ユニットケーブルの小型化を図ることができ、以て施工時における大きなスペースの確保を不要にすることができるという効果を奏する。また、小型であることから、従来よりも取り扱い性を良くすることができるという効果も奏する。さらには、導体同士を溶接して結線部を形成することから、従来と比べて加工時間の短縮化を図ることができるという効果を奏する。従って、本発明によれば、施工性、生産性に優れたユニットケーブルを提供することができるという効果を奏する。
【００２３】
請求項２に記載された本発明によれば、請求項１の効果に加え次のような効果も奏する。すなわち、樹脂モールド部にて結線部を保護することができるという効果を奏する。また、小さな結線部であることから、最小限の樹脂量にて絶縁、保護をすることができるという効果や、製造設備の小型化を図ることができるという効果を奏する。従って、本発明によれば、結線部の保護は勿論のこと、生産性に優れたユニットケーブルを提供することができるという効果を奏する。
【００２４】
請求項３に記載された本発明によれば、請求項１又は２の効果に加え次のような効果も奏する。すなわち、隔壁により結線部同士の絶縁を確保することができるという効果を奏する。
【００２５】
請求項４に記載された本発明によれば、結線部を溶接にて形成する工程と、結線部の外側に樹脂モールド部を形成する工程と、を含むことから、施工性や生産性に優れたユニットケーブルの製造方法を提供することができるという効果を奏する。
【図面の簡単な説明】
【００２６】
【図１】本発明のユニットケーブルの結線部及び周辺部分の斜視図である（実施例１）。
【図２】結線部の拡大図である。
【図３】ユニットケーブルにおける樹脂モールド部の正面図である。
【図４】他の例となるユニットケーブルの結線部及び周辺部分の斜視図である（実施例２）。
【図５】図４の結線部と隔壁の拡大図である。
【発明を実施するための形態】
【００２７】
ユニットケーブルは、複数本のＶＶＦケーブルにおける所定の導体同士を電気的に接続してなる結線部を有し、この結線部は溶接にて形成される。また、ユニットケーブルは、結線部の外側に、この結線部を覆う樹脂モールド部を有する。
【実施例１】
【００２８】
以下、図面を参照しながら実施例１を説明する。図１は本発明のユニットケーブルの結線部及び周辺部分の斜視図である。また、図２は結線部の拡大図、図３はユニットケーブルにおける樹脂モールド部の正面図である。
【００２９】
図１において、引用符号１は本発明のユニットケーブルを示す。このユニットケーブル１は、屋内配線に用いられるものであって、三本のＶＶＦケーブル２〜４を有する（本数は一例であるものとする）。三本のＶＶＦケーブル２〜４は、本実施例において、同じ構成のものが用いられる。以下、ＶＶＦケーブル２を代表例として構成及び構造の説明をする。
【００３０】
ＶＶＦケーブル２は、６００Ｖ以下の電力回路に用いられる平形のビニル絶縁ビニルシースケーブルであって、三本の絶縁線心５〜７と、これらを一括して覆うシース８とを備えて構成される。ＶＶＦケーブル２は、本実施例において三心であるが、二心や四心等であってもよいものとする。
【００３１】
三本の絶縁線心５〜７は同じ構成のものが用いられる。絶縁線心５を代表例とすると、絶縁線心５は、導体９と、絶縁体１０とを備えて構成される。導体９は、導電性を有する金属材料からなる。具体的には、ＪＩＳ  Ｃ  ３１０２（電気用軟銅線）に適合又はこれに準ずる軟銅線が用いられる。導体９には、単心線が用いられる。導体９は、断面円形状に形成される。
【００３２】
絶縁体１０は、絶縁性を有する樹脂材料を導体９の外面に押出成形をすることにより形成される。絶縁体１０は、所定の肉厚で断面円形状に形成される。上記樹脂材料としては、ビニルが用いられる。尚、三本の絶縁線心５〜７を識別するために、黒、白、赤に色分けがなされるものとする。
【００３３】
シース８は、三本の絶縁線心５〜７を並列にした上で、これらの外面に押出成形をすることにより形成される。シース８は、所定の肉厚で断面長円形状に形成される。シース８の樹脂材料としては、ビニルが用いられる。
【００３４】
以上のようなＶＶＦケーブル２は、このケーブル長が二本分の長さになるように切断加工される（ケーブル長は一例であるものとする）。ＶＶＦケーブル２は、シース８及び絶縁体１０の中間が皮むきされ、露出した導体９に対し結線部１１が形成される。
【００３５】
図１及び図２において、結線部１１は、所定の導体９同士が電気的に接続されて形成される。すなわち、接続の部分（接続点）が該当し、この部分は溶接により形成される。溶接とは、抵抗溶接等の接続方法であり、局所的な点で金属材料を溶融させることにより、電気的な接続が完了する。結線部１１は、上記の如く所定の導体９同士が溶接により接続されて形成されることから、容易に曲がらない状態になる。従って、接続された時の位置関係で固定される。
【００３６】
本実施例の結線部１１は、この形成状態を分かり易くするために、ＶＶＦケーブル２〜４における各絶縁線心５の導体９同士が溶接されて形成される（本実施例に限定されないものとする）。また、各絶縁線心６の導体９同士が溶接されて形成される。さらに、各絶縁線心７の導体９同士が溶接されて形成される。
【００３７】
結線部１１が形成されることにより、所定の電気回路が構成される。結線部１１の形成は、シース８及び絶縁体１０の中間の皮むきと、導体９同士の溶接とを順に経ることにより完了する。溶接は、皮むきの範囲が狭くても可能な接続の方法であり、そのため結線部１１及び周辺部分は小さく形成される。尚、結線部１１の形成において、従来例のような圧着端子等は不要である。
【００３８】
ここで、各絶縁線心５の導体９同士を溶接してなる結線部１１の引用符号を１１ａに置き換えるとともに、各絶縁線心６の導体９同士を溶接してなる結線部１１の引用符号も１１ｂに置き換え、さらには、各絶縁線心７の導体９同士を溶接してなる結線部１１の引用符号も１１ｃに置き換えると、結線部１１ａ及び１１ｂの間には、空間距離部ＳＰ１が形成される。また、結線部１１ｂ及び１１ｃの間には、空間距離部ＳＰ２が形成される。
【００３９】
空間距離部ＳＰ１及びＳＰ２は、隣り合う結線部１１ａ及び１１ｂ、結線部１１ｂ及び１１ｃの間に空間距離を持たせるための空間として形成される。空間距離部ＳＰ１及びＳＰ２の形成により、絶縁が確保されるのは勿論である。言い換えれば、絶縁効果を得るのに有効である。空間距離部ＳＰ１及びＳＰ２は、本実施例において、絶縁線心５〜７の導体９同士の間隔程度（一例であるものとする。絶縁の確保が可能であれば狭めてもよいものとする）となる空間に形成される。
【００４０】
結線部１１は、図３に示す如く樹脂モールド部１２にて覆われて保護される。樹脂モールド部１２は、絶縁性を有する樹脂材料を用いての射出成形（成形方法は一例であるものとする）により形成される。樹脂モールド部１２は、本実施例において、結線部１１の両側となる周辺部分にも跨るような矩形の形状（略直方体形状）に形成される（形状は一例であるものとする。結線部１１の保護をすることができれば、本実施例の形状に限定されないものとする）。樹脂モールド部１２は、結線部１１及び周辺部分を覆うことから、小さく形成される。
【００４１】
尚、射出成形を採用することにより、隣り合う結線部１１同士の間の空間（空間距離部ＳＰ１及びＳＰ２）に溶融樹脂が流れ込み易くなるのは勿論である（従来例の場合、ジョイントボックスの内部に絶縁性の熱硬化性樹脂（エポキシ樹脂等）を充填・モールドするようになるが、例えば空気溜まり等で上記空間に該当する部分に熱硬化性樹脂が流れ込むとは限らない）。
【００４２】
結線部１１は、上記の如く容易に曲がらない状態、言い換えれば接続された時の位置関係で固定された状態にあることから、射出成形が行われても動いてしまうことはなく、結果、絶縁に十分な空間距離が保たれて（空間距離部ＳＰ１及びＳＰ２の空間が保たれて）、且つ、その空間に上記の如く溶融樹脂が流れ込んで絶縁も確保することができる。本実施例から分かるように、絶縁用の特別な部材は不要である。
【００４３】
以上、図１ないし図３を参照しながら説明してきたように、ユニットケーブル１は結線部１１を有し、この結線部１１は、所定の導体９同士が溶接されて形成されることから、従来よりも小さな結線部１１として形成することができるという効果を奏する。これにより、ユニットケーブル１の小型化を図ることができ、以て施工時における大きなスペースの確保を不要にすることができるという効果を奏する。
【００４４】
また、ユニットケーブル１は、上記の如く小型であることから、従来よりも取り扱い性を良くすることができるという効果や、狭いスペースでも設置することができるという効果も奏する。さらには、導体９同士を溶接して結線部１１を形成することから、従来と比べて加工時間の短縮化を図ることができるという効果も奏する。
【００４５】
この他、ユニットケーブル１は樹脂モールド部１２を有し、樹脂モールド部１２にて結線部１１を保護することができるという効果を奏する。また、小さな結線部１１であることから、樹脂モールド部１２は最小限の樹脂量にて絶縁、保護をすることができるという効果も奏する。さらには、溶接が採用されるとともに、小さな結線部１１に形成され、最小限の樹脂量にて樹脂モールド部１２の形成も可能であることから、製造設備の小型化を図ることができるという効果も奏する。
【００４６】
従って、本発明によれば、結線部１１の保護は勿論のこと、施工性、生産性に優れたユニットケーブル１を提供することができるという効果を奏する。
【実施例２】
【００４７】
以下、図面を参照しながら実施例２を説明する。図４は他の例となるユニットケーブルの結線部及び周辺部分の斜視図である。また、図５は結線部と隔壁の拡大図である。尚、上記実施例１と基本的に同じ構成部材には同一の符号を付して詳細な説明を省略する。
【００４８】
図４において、実施例２のユニットケーブル１は、実施例１に対し隔壁部材１３を更に備えて構成される。具体的に構成及び構造について説明をする。
【００４９】
ユニットケーブル１は、屋内配線に用いられるものであって、三本のＶＶＦケーブル２〜４（６００Ｖ以下の電力回路に用いられる平形のビニル絶縁ビニルシースケーブル）と、隔壁部材１３とを備えて構成される。
【００５０】
ＶＶＦケーブル２〜４は、各ケーブル毎に、三本の絶縁線心５〜７と、これらを一括して覆うシース８とを有する。
【００５１】
絶縁線心５〜７は、各線心毎に、導体９と、絶縁体１０とを有する。導体９には、断面円形状の単心線が用いられる。絶縁体１０は、絶縁性を有する樹脂材料を導体９の外面に押出成形をすることにより形成される。絶縁体１０は、所定の肉厚で断面円形状に形成される。シース８は、三本の絶縁線心５〜７を並列にした上で、これらの外面に押出成形をすることにより形成される。シース８は、所定の肉厚で断面長円形状に形成される。
【００５２】
図４及び図５において、以上のようなＶＶＦケーブル２〜４は、各ケーブル毎に、シース８及び絶縁体１０の中間が皮むきされ、露出した導体９に対して結線部１１が形成される。結線部１１は、所定の導体９同士が溶接により接続されて形成される。結線部１１は、所定の導体９同士が溶接により接続されて形成されることから、容易に曲がらない状態になる。従って、接続された時の位置関係で固定される。
【００５３】
隔壁部材１３は、絶縁性を有する例えば樹脂成形品であって、ベース部１４と、このベース部１４から立ち上がる複数の隔壁１５とを有する。隔壁１５は、隣り合う結線部１１同士の間（空間距離部ＳＰ１及びＳＰ２）に挿入される仕切り部分として形成される。結線部１１同士は、隔壁１５により仕切られて（隔てられて）絶縁される。隔壁１５は、本実施例において、結線部１１同士の間（空間距離部ＳＰ１及びＳＰ２）から抜け落ちない程度の厚みを有して形成される。
【００５４】
尚、隔壁部材１３は、導体９の露出部分全体を絶縁する樹脂成形品であってもよいものとする。この場合、樹脂モールド部１２の形成は任意になるものとする。
【００５５】
結線部１１は、樹脂モールド部１２にて覆われて保護される。樹脂モールド部１２は、絶縁性を有する樹脂材料を用いての射出成形により形成される。樹脂モールド部１２は、結線部１１及び周辺部分を覆うことから、小さく形成される。
【００５６】
以上、図４及び図５を参照しながら説明してきたように、上記構成及び構造において、ユニットケーブル１は、隔壁部材１３を更に備えて構成されることから、実施例１の効果に加え、結線部１１同士の絶縁を確実にすることができるという効果も奏する。
【００５７】
この他、本発明は本発明の主旨を変えない範囲で種々変更実施可能なことは勿論である。
【符号の説明】
【００５８】
１…ユニットケーブル
２〜４…ＶＶＦケーブル
５〜７…絶縁線心
８…シース
９…導体
１０…絶縁体
１１…結線部
１２…樹脂モールド部
１３…隔壁部材
１４…ベース部
１５…隔壁
ＳＰ１、ＳＰ２…空間距離部
【図１】
2015056327.tif 000003
【図２】
2015056327.tif 000004
【図３】
2015056327.tif 000005
【図４】
2015056327.tif 000006
【図５】
2015056327.tif 000007